(57)【要約】【課題】組付けが容易であり且つ低コストの注射器を提供する。【解決手段】注射器は、注射筒２、プランジャー３、および針管台座４を備える。注射筒２は、筒状に形成され軸線方向に沿って形成され、第１注射筒２１、第１注射筒２１の一端から延びる第２注射筒２２、及び、第１注射筒２１の内壁に環状に形成される可撓性の第１反転環２３を有する。プランジャー３は、軸線Ｌ上を往復移動可能に注射筒２内に挿設されるプランジャー支持部３１、及び、プランジャー支持部３１の一端に設置される栓部３２を有する。針管台座４は、第２注射筒２２内に脱着可能に設置される。プランジャー３の栓部３２は、針管台座４の内部に嵌め込むことにより、第１可撓部２３２を開き、第１可撓部２３２と針管台座４とを離間させる。【選択図】図１
2013099512.tif 000002
【特許請求の範囲】
【請求項１】
筒状に形成され軸線方向に形成され、第１注射筒、当該第１注射筒の一端から延びる第２注射筒、及び、前記第１注射筒の内側に環状に形成される可撓性の第１反転環を有し、前記第１反転環は、可動する第１可撓部を有し、前記第２注射筒側に折り畳むことにより前記第１注射筒から前記第２注射筒へ延びながら前記軸線を中心として収縮する注射筒と、
前記軸線上を往復移動可能に前記注射筒内に挿設されるプランジャー支持部、及び、当該プランジャー支持部の一端に設置される栓部を有するプランジャーと、
前記第２注射筒内に脱着可能に設置される針管台座を備え、
前記プランジャーの前記栓部は、前記針管台座の内部に嵌め込むことにより、前記第１可撓部を開き、前記第１可撓部と前記針管台座とを離間させることを特徴とする注射器。
【請求項２】
前記プランジャーは、
前記針管台座に対して、注射位置、限界位置、及び放棄位置の間を移動し、
前記注射位置に位置する場合、前記プランジャーの前記栓部は前記第１注射筒内に位置すると共に前記針管台座と所定間隔を有し、前記針管台座は、前記第１可撓部に支持され前記第２注射筒内に位置し、
前記限界位置に位置する場合、前記栓部は前記針管台座の内部に嵌め込み、前記第１可撓部を開き、前記第１可撓部と前記針管台座とを離間させ、
前記放棄位置に位置する場合、前記プランジャーが前記第２注射筒から離れ、前記針管台座が前記第１反転環の支持から解放され前記第２注射筒から離脱することを特徴とする請求項１に記載の注射器。
【請求項３】
前記注射筒は、前記第２注射筒の内径が前記第１注射筒の内径より小さく形成され、前記第１注射筒と前記第２注射筒と間に形成され前記第１可撓部を収納する収納空間を更に有し、前記プランジャーが前記限界位置に位置する場合、前記第１可撓部は前記栓部により前記収納空間内に押し込まれることを特徴とする請求項２に記載の注射器。
【請求項４】
前記注射筒は、前記第２注射筒の内側に設置される位置決め環を更に有し、
前記針管台座は、前記第２注射筒内に移動可能に設置され前記位置決め環に当接する本体、当該本体の底部に設置され前記位置決め環に貫設される嵌合管、前記本体の上縁から前記嵌合管へ延びながら前記軸線を中心として収縮する第２反転環、及び、前記本体の周方向に環状に形成されるシールリングを有することを特徴とする請求項３に記載の注射器。
【請求項５】
前記第１反転環は、前記第１注射筒の内側に設置される第１環状基部を更に有し、前記第１可撓部は前記第１環状基部とは反対側に設けられ、
前記第２反転環は、前記本体に設置され前記軸線の周方向に環状に形成される第２環状基部、及び、前記軸線の周方向に環状に形成され前記第２環状基部とは反対側に位置する第２可撓部を有することを特徴とする請求項４に記載の注射器。
【請求項６】
前記プランジャーは、前記栓部の周方向に環状に形成されるピストンを更に有し、
前記栓部は、環状突縁部、及び前記ピストンと前記環状突縁部との間に設けられる拡大環を有し、
前記プランジャーが前記限界位置に位置する場合、前記ピストンの一端は前記第１環状基部に当接し、前記環状突縁部は前記本体内に貫設されると共に前記第２可撓部と相互に咬合し、前記拡大環は前記第１可撓部を開くことを特徴とする請求項５に記載の注射器。
【請求項７】
前記第１可撓部には互いに所定間隔を有する方形穴が複数形成されることを特徴とする請求項１に記載の注射器。
【請求項８】
前記第１可撓部の一端は、平面状を呈することを特徴とする請求項１に記載の注射器。
【請求項９】
前記第１可撓部にはのこぎりの歯の形状を有する穴が複数形成されることを特徴とする請求項１に記載の注射器。
【請求項１０】
前記注射筒は、前記第１注射筒の内径と前記第２注射筒の内径と等しく形成されることを特徴とする請求項１に記載の注射器。
【発明の詳細な説明】
【技術分野】
【０００１】
本発明は、注射器に関する。
【背景技術】
【０００２】
特許文献１に記載の発明は、図９および図１０に示すように、筒体１０、筒体１０内に移動可能に設けられる針管台座１１、筒体１０内に移動可能に挿設されストッパーヘッド１２１を有するプランジャー１２、筒体１０内に２つの咬合槽１０２がそれぞれ設置される定位座１０１、接合段１１１を有する針管台座１１、弾性咬合片１１２、及び、咬合槽１０２にそれぞれ組み合わされ咬合ブロック１１４を有する２つの凸型柱１１３を備える。組み付ける場合、針管台座１１を筒体１０内に挿入し、凸型柱１１３の咬合ブロック１１４を咬合槽１０２に嵌入する。
【先行技術文献】
【特許文献】
【０００３】
【特許文献１】台湾特許出願公開第Ｍ３６００４９号明細書
【発明の概要】
【発明が解決しようとする課題】
【０００４】
しかしながら、前述した従来の技術では、組付ける際、咬合ブロック１１４を咬合槽１０２に精確に嵌め込む必要が有るため、位置決めが困難であり、時間がかかる。また、針管台座１１、プランジャー１２、及び筒体１０は、プラスチック射出成形により製造され、針管台座１１および凸型柱１１３の射出成形には複雑なモジュールが必要であり、コストが高い。
【０００５】
本発明は、上述の問題に鑑みてなされたものであり、その目的は、組付けが容易であり且つ低コストの注射器を提供することにある。
【課題を解決するための手段】
【０００６】
本発明による注射器は、注射筒、プランジャー、および針管台座を備える。注射筒は、筒状に形成され軸線方向に沿って形成され、第１注射筒、第１注射筒の一端から延びる第２注射筒、及び、第１注射筒の内壁に環状に形成される可撓性の第１反転環を有し、第１反転環は、可動する第１可撓部を有し、第２注射筒側に折り畳むことにより第１注射筒から第２注射筒へ延びながら軸線を中心として収縮する。
【０００７】
プランジャーは、軸線上を往復移動可能に注射筒内に挿設されるプランジャー支持部、及び、プランジャー支持部の一端に設置される栓部を有する。
針管台座は、第２注射筒内に脱着可能に設置される。
プランジャーの前記栓部は、針管台座の内部に嵌め込むことにより、第１可撓部を開き、第１可撓部と針管台座とを離間させる。
【０００８】
本発明によれば、第１反転環及び第２注射筒により、効果的に針管台座の位置を決めることができ、組付けが容易になる。また、針管台座の外形が従来のものより簡単であるため、製造コストを低減することができる。
【図面の簡単な説明】
【０００９】
【図１】本発明の第一実施形態による注射器においてプランジャーの注射位置を示す断面図である。
【図２】本発明の第一実施形態による注射器においてプランジャーの限界位置を示す断面図である。
【図３】本発明の第一実施形態による注射器においてプランジャーの放棄位置を示す断面図である。
【図４】本発明の第一実施形態による注射器の分解斜視図である。
【図５】本発明の第一実施形態による注射器の分解断面図である。
【図６】本発明の第一実施形態による注射器の分解断面図である。
【図７】本発明の第二実施形態による注射器の断面図である。
【図８】本発明の第三実施形態による注射器の断面図である。
【図９】従来の注射器を示す分解斜視図である。
【図１０】従来の注射器を示す断面図である。
【発明を実施するための形態】
【００１０】
以下、本発明の実施形態を図面に基づいて説明する。また、以下に説明する内容に於いて同じ部材には同じ符号を用いる。
（第一実施形態）
本発明の第一実施形態の構成を図２から図６に示す。図１に示すように、本発明の第一実施形態による注射器は、注射筒２、プランジャー３、及び針管台座４を備える。
【００１１】
図１、図２及び図３に示すように、注射筒２は、軸線Ｌ方向に形成され、第１注射筒２１、第１注射筒２１の一端から延びる第２注射筒２２、第１注射筒２１の内側に環状に形成される可撓性の第１反転環２３、第２注射筒２２の内側に設置される位置決め環２４、及び、第１注射筒２１と第２注射筒２２との間に形成される収納空間２５を備え、第２注射筒２２の内径が第１注射筒２１の内径より小さく形成される。
【００１２】
第１反転環２３は、第２注射筒２２側に折り畳むことにより第１注射筒２１から第２注射筒２２へ延びながら軸線Ｌを中心として収縮する。第１反転環２３は、第１注射筒２１の内側に設置されると共に軸線Ｌの周方向に環状に形成される第１環状基部２３１、及び第１環状基部２３１とは反対側に形成され開口部２３３を有する第１可撓部２３２を有する。第１可撓部２３２の一端には複数の互いに間隔を有する方形穴が形成される。
【００１３】
プランジャー３は、軸線Ｌ方向に移動可能に注射筒２に挿設されるプランジャー支持部３１、プランジャー支持部３１の一端に設置される栓部３２、及び、栓部３２に環装されるピストン３３を備える。
【００１４】
プランジャー３の栓部３２は、環状突縁部３２１、及びピストン３３と環状突縁部３２１との間に設けられる拡大環３２２を有する。
【００１５】
針管台座４は、第２注射筒２２に脱着可能に設置され第２注射筒２２内に移動可能に設置され、位置決め環２４に当接する本体４１、本体４１の底部に設置され位置決め環２４に貫設される嵌合管４２、本体４１の上縁から嵌合管４２へ延びながら軸線Ｌを中心として収縮する第２反転環４３、及び本体４１の周方向に環状に形成されるシールリング４４を有する。
【００１６】
第２反転環４３は本体４１に設置され軸線Ｌの周方向に環状に形成される第２環状基部４３１、及び軸線Ｌの周方向に環状に形成され第２環状基部４３１とは反対側に位置する第２可撓部４３２を有する。
【００１７】
図４及び図５に示すように、製造工程に於いて、プラスチック射出成形を用いて注射筒２、プランジャー３、及び針管台座４を製造する。プラスチック射出工程において、第１可撓部２３２及び第２可撓部４３２は、上に向けて第２注射筒２２から離れる方式で製造されるため脱型が容易になる。
【００１８】
図６及び図１に示すように、ピストン３３をプランジャー３の栓部３２に覆設し、シールリング４４を針管台座４の本体４１に覆設する。続いて、注射筒２の第１可撓部２３２を第２注射筒２２の方向へ折り曲げ、針管台座４の第２可撓部４３２を本体４１の内側へ折り曲げる。その後針管台座４を注射筒２の第２注射筒２２内へ入れ、第１反転環２３の第１可撓部２３２を第２反転環４３の第２環状基部４３１に当接させ、針管台座４が前記第１注射筒２１へ滑動することを抑制する。プランジャー３の栓部３２を第１注射筒２１へ挿入し、針５を本体４１の嵌合管４２に内接し、組付けを完成する。
【００１９】
図１、図２及び図３に示すように、プランジャー３は針管台座４に対して注射位置、限界位置、及び放棄位置の間を移動し、注射筒２内の薬液を針管台座４の嵌合管４２から押し出し、針５を第１注射筒２１内に収納する。
【００２０】
プランジャー３が注射位置に位置する場合、プランジャー３の栓部３２は、第１注射筒２１内に位置し、栓部３２のピストン３３と第１反転環２３の第１環状基部２３１とは互いに所定間隔を有し、第１可撓部２３２は第２反転環４３の第２環状基部４３１に当接し、針管台座４は、第２注射筒２２内に位置し、栓部３２の環状突縁部３２１は針管台座４の本体内に貫設されていない。
プランジャー３が限界位置に位置する場合、栓部３２のピストン３３の一端は第１環状基部２３２に当接し、栓部３２の環状突縁部３２１は針管台座４の本体４１を貫設すると共に第２可撓部４３２と相互に咬合し、拡大環３２２は可撓部２３２に当接して収納空間２５へ進入し、第１可撓部２３２の開口部２３３を開き、第１可撓部２３２は針管台座４から離脱する。これにより、環状突縁部３２１が第２可撓部４３２に咬合した後、ユーザーは、プランジャー３を後ろへ引き戻し、針管台座４を第１反転環２３の抵抗から解放する。よって、プランジャー３は第１注射筒２１の方向へ移動され第２注射筒２２から離脱される。これにより針５は第１注射筒２１に収納され、放棄位置まで移動し、誤って人を刺さらないようになる。
【００２１】
（第二実施形態）
本発明の第二実施形態を図７に基づいて説明する。
図７に示すように、本発明の二実施形態による注射器は、上記第一実施形態に比べ、第１可撓部２３２の一端の外形が平面状を呈する点で異なる。
（第三実施形態）
本発明の第三実施形態を図８に基づいて説明する。
図８に示すように、本発明の第三実施形態による注射器は、上記第一実施形態に比べ、第１可撓部２３２に複数ののこぎりの歯の形状を有する穴が形成される点で異なる。
【００２２】
組付け時に精確に位置決めを行わずに、針管台座４を第２注射筒２２に装入すれば第１反転環２３により位置決めが行われ、組付け上の利便性が高まる。また、従来の高精度に要求されている凸型柱１１３のように、針管台座４を成形する必要がないため、製造コストも大幅に低減することができる。
【００２３】
他の実施形態では、注射筒２は、第１注射筒２１の内径と第２注射筒２２の内径とが同じとなるよう形成することとしても良い。
【００２４】
以上、本発明は、上記実施形態になんら限定されるものではなく、発明の趣旨を逸脱しない範囲において種々の形態で実施可能である。
【符号の説明】
【００２５】
２・・・注射筒、
３・・・プランジャー、
４・・・針管台座、
２１・・・第１注射筒、
２２・・・第２注射筒、
２３・・・第１反転環、
２３２・・・第１可撓部、
Ｌ・・・軸線、
３１・・・プランジャー支持部、
３２・・・栓部。
【図１】
2013099512.tif 000003
【図２】
2013099512.tif 000004
【図３】
2013099512.tif 000005
【図４】
2013099512.tif 000006
【図５】
2013099512.tif 000007
【図６】
2013099512.tif 000008
【図７】
2013099512.tif 000009
【図８】
2013099512.tif 000010
【図９】
2013099512.tif 000011
【図１０】
2013099512.tif 000012